(57)【特許請求の範囲】
【請求項１】
固体成分と液体成分とを含む検体から固体成分を分離して液体成分に含まれる被検物質を検出することができる固体成分分離能を有する試験片であって、
ビーズ、無機ゲル、及び前記被検物質と検出しうる反応を起こす試薬を含む多孔質構造の試薬層と、この試薬層を支持する支持体とを含み、前記ビーズ同士は前記無機ゲルによって接着され、ビーズ間には前記固体成分を捕集する粒子間隙が形成されていることを特徴とする試験片。
【請求項２】
前記検体が血球成分と血漿成分とを含む血液であることを特徴とする請求項１記載の試験片。
【請求項３】
前記支持体は表面に親水部分を有し、この親水部分に前記試薬層が支持されていることを特徴とする請求項１記載の試験片。
【請求項４】
前記ビーズの粒径が０.５〜１０μｍであり、かつ前記ビーズの含有量が最終濃度で１〜３０重量％であることを特徴とする請求項１記載の試験片。
【請求項５】
前記無機ゲルを形成する無機ゲル化剤の含有量が最終濃度で０.１〜３重量％であることを特徴とする請求項１記載の試験片。
【請求項６】
前記試薬が前記被検物質と反応して光学的変化を起こす試薬であることを特徴とする請求項１記載の試験片。
【請求項７】
前記支持体が光透過性物質で構成されていることを特徴とする請求項１記載の試験片。
【発明の詳細な説明】
【０００１】
【発明の属する技術分野】
本発明は、血液中の被検物質の検出に好適な試験片に関し、主に生物学的材料の化学分析の技術分野に属する。
【０００２】
【従来の技術】
血液や尿、又は脳脊髄液等の生体試料に含まれる任意の成分を検出する場合では、通常、試料液の吸収、拡散、反応、検出等の一連の分析プロセスが必要とされる。特に、血球成分と血漿成分とを含む血液（以下、「全血」ということもある）を用いる血液検査において、血漿成分中のグルコースを被検物質として検出、定量する場合等では、血球成分が様々な影響を及ぼし、測定結果に誤差を生じやすいことが知られている。このため、全血を用いる血液検査では、血球成分と血漿成分とを分離することが望まれており、全血中から血球成分と血漿成分とを分離し、分離した血漿成分中の被検物質を検出するための技術については、様々な提案がなされている。
【０００３】
前述した技術としては、例えば、血球成分と血漿成分との比重差を利用し、遠心分離による血球分離機構を有する試験具が知られている。しかし、この試験具は、遠心分離器が必要であり、被検物質検出のための装置が複雑かつ大がかりになるとともに、使用される試薬等も複雑なものとなることがあり、実用面において好ましくない場合がある。
【０００４】
一方で、前述した技術としては、全血中の血球成分を分離し、被検物質に対し発色する発色試薬によって血漿成分中の被検物質を検出する試験片が知られている。この試験片は、全血を試験片に点着するだけで被検物質を検出することができる点で、前述した試験具よりも優れている。
【０００５】
前記試験片としては、例えば、非対称膜やガラスフィルタ、またはポリマー粒子を有機ポリマーで固めることにより形成される多孔質構造の血球分離層と、被検物質に対し発色する発色試薬を含む試薬層とを、光透過性の支持体上に積層した積層型試験片（例えば、特開昭４９−５３８８８号公報や、特開昭５５−９０８５９号公報等）や、ポリマー粒子を有機系の接着剤等で固め、適度な粒子間隙を有するとともに前記発行試薬が含まれる層を形成し、血球成分の分離と血漿成分の展開、及び被検物質の検出を行おうとする試験片（例えば特開昭５７−１６００６３号公報等）が知られている。
【０００６】
【発明が解決しようとする課題】
しかし、前記積層型試験片では、血球分離層上で全血が拡がりやすく、また、血球成分と血漿成分との分離が主にこれらの自重を利用する縦方向への分離であるため、血球分離層の最上部に血球層が形成されてしまう。このため、例えば、被検物質を透過光測定によって定量しようとした場合に、被検物質が発色試薬によって発色しても、前記血球層によって測定光が遮られ、透過光測定を行えない場合がある。
【０００７】
また、被検物質によっては、被検物質に酸素を供給しつつ検出、測定する場合があるが、このような場合に前記積層型試験片では、血球分離層上に血球層が形成されやすいことから酸素透過性が悪く、酸素供給を行うために酸素透過膜等の酸素供給手段を試薬層と支持体との間に設ける必要がある。酸素透過膜等の酸素供給手段を前記積層型試験片に設けることは、困難であるとともに、試験片の作製コストを増加させる原因となる。
【０００８】
また、前記積層型試験片では、血球分離層上で全血が拡がりやすく、かつ主に縦方向への分離であるため、被検物質を試薬層に十分に展開させるためには、血球分離層へ十分量の血液を点着する必要があり、一回の測定により多くの量の検体が必要となる。
【０００９】
また、前記積層型試験片のうち、ポリマー粒子を有機ポリマーで固めて血球分離層が形成される試験片では、有機ポリマーが水分を吸って膨潤しやすく、血漿成分の展開に際して血球分離層の粒子間隙が小さくなり、十分量の血漿成分が試薬層に展開しない場合がある。
【００１０】
また、特開昭５７−１６００６３号公報等に開示される前記試験片では、層中に適度な粒子間隙が形成されていることから、キャピラリー的作用によって血漿成分が縦方向のみならず横方向へも展開することができ、前述した透過光測定を行う上で有利だが、前記積層型試験片と同様に試薬層上で血球成分が拡がりやすいことから、透過光測定における血球層の遮光や血球層の形成に伴う酸素透過性の悪化については、課題が残されている。また、この試験片は、血漿成分が層中を展開する際に、発色試薬との反応によって生成した色素等がさらに展開してしまうことがあり、検出される被検物質の分布濃度に偏りが生じてしまうことがある。
【００１１】
また、この試験片は、適度な粒子間隙を形成するようにポリマー粒子を接着剤等で固定化することから、その製造が複雑かつ困難である。
【００１２】
本発明は、前記事項に鑑みなされたもので、被検物質を透過光測定によっても測定することができ、酸素透過性が良く、かつより高い精度で被検物質を測定することのできる試験片を提供することを課題とする。
【００１３】
【課題を解決するための手段】
本発明は、前記課題を解決するための手段として、以下のような構成とすることとした。
すなわち本発明は、固体成分と液体成分とを含む検体から固体成分を分離して液体成分に含まれる被検物質を検出することができる固体成分分離能を有する試験片であって、ビーズ、無機ゲル、及び前記被検物質と検出しうる反応を起こす試薬を含む多孔質構造の試薬層と、この試薬層を支持する支持体とを含み、前記ビーズ同士は前記無機ゲルによって接着され、ビーズ間には前記固体成分を捕集する粒子間隙が形成されていることを特徴とする試験片である。
【００１４】
また、本発明は、好ましくは前記検体が血球部分と血漿部分とを含む血液（全血）であり、前記支持体が表面に親水部分を有し、この親水部分に前記試薬層が支持されていることが好ましい。
【００１５】
また、本発明は、前記ビーズの粒径が０.５〜１０μｍであり、かつビーズの含有量が最終濃度で１〜３０重量％であることが好ましく、前記無機ゲルを形成する無機ゲル化剤の含有量が最終濃度で０.１〜３重量％であることが好ましい。
【００１６】
また、本発明は、前記試薬が被検物質と反応して光学的変化を起こす試薬であることが好ましく、支持体が光透過性物質で構成されていることが好ましい。
【００１７】
【発明の実施の形態】
本発明の試験片は試薬層と、この試薬層を支持する支持体を含む。
試薬層は、ビーズ、無機ゲル、及び被検物質と検出しうる反応を起こす試薬を含む多孔質構造を有する。試薬層において、ビーズ同士は無機ゲルによって接着され、ビーズ間には検体中の固体成分を捕集する粒子間隙が形成される。
【００１８】
前記ビーズは、固体成分を粒子間隙で捕集できるものであれば良いが、前記粒径の範囲において粒度分布の狭いものであると、固体成分を分離する上で好ましい。また、粒度分布の広いビーズを使用する場合や、比較的粒径の大きなビーズを使用する場合では、粒径が１０μｍ以下の比較的粒径の小さな粒子を含むビーズを使用することが、好適な粒子間隙を形成する上で好ましい。
【００１９】
ビーズの好適な粒径は、粒子間隙で捕集しようとする固体成分（例えば前記血球成分等）の大きさによって異なり、ビーズの使用条件等によっては粒径が３０μｍ程度のビーズを使用することが可能だが、好ましくは０.５〜１０μｍであり、より好ましくは３〜８μｍである。ビーズの粒径が前記範囲よりも小さすぎると液体成分の展開が円滑に行われないことがあり、ビーズの粒径が前記範囲よりも大きすぎると固体成分の捕集が十分に行われないことがある。
【００２０】
試薬層におけるビーズの好適な含有量は、液体成分の所望の展開距離や試薬層の好適な層厚によって異なるが、好ましくは最終濃度で１〜３０重量％である。ビーズの含有量が前記範囲よりも小さすぎると試薬層の層厚が不十分となることがあり、ビーズの含有量が前記範囲よりも大きすぎると試薬層の層厚が必要以上に大きくなることがある。
【００２１】
また、前記ビーズは、より球形に近い形状であると、良好な粒子間隙を形成する上で好ましい。本発明では、前述した条件を満たすビーズであればビーズの種類を問うことなく好適に使用することができる。このようなビーズとしては、例えば、ガラスビーズ等の無機ビーズや、ラテックスビーズ等の重合ビーズ等を例示することができる。これらの中でも、製造にあたって粒径、粒子形状や粒度分布を制御しやすい重合ビーズを使用することがより好適である。このような重合ビーズは、市販品を購入することによって入手することが可能であり、また、懸濁重合法や乳化重合法等の常法に則って製造することも可能である。
【００２２】
前記無機ゲルは、前記ビーズ同士を接着して試薬層を多孔質構造にするためのものである。無機ゲルは、有機ゲルに比べて一般に水を吸っても膨潤しにくいことから、例えば、被検物質を透過光測定によって測定する場合にセル長（試薬層の層厚）が一定に保たれやすい利点や、液体成分の展開中における試薬層の粒子間隙が一定に保たれやすい利点などがある。
【００２３】
また、無機ゲルを形成する無機ゲル化剤は、極性置換基を有する化合物や色素等を一般に吸着しやすいことから、前記試薬や、試薬と被検物質との反応生成物（色素等）を吸着しやすく、検出された被検物質の分布濃度の偏りを生じにくい利点がある。
【００２４】
さらに、無機ゲルは、チキソトロピー性を示すゲルであると、無機ゾル時の流動性に優れ、かつ静置によって固化（ゲル化）することから、前記支持体上に試薬層を形成する上で好適である。また、無機ゲルは、水の添加によって透明になることが、光学的変化によって被検物質を検出する上で好適である。
【００２５】
前記試薬層における無機ゲル化剤の好適な含有量は、使用されるビーズの量や、使用される無機ゲル化剤の性状（ゲル形成能力など）によって異なるが、好ましくは最終濃度で０.１〜３重量％である。無機ゲル化剤の含有量が前記範囲よりも小さすぎるとビーズ同士の接着が不十分となり試薬層を形成できないことがあり、無機ゲル化剤の含有量が前記範囲よりも大きすぎると余剰の無機ゲル化剤が前記粒子間隙を埋めてしまい液体成分の展開に悪影響を及ぼすことがある。
【００２６】
前記無機ゲル化剤としては、一般に使用される無機ゲル化剤を使用することができ、例えば、ラポナイトシリーズ（日本シリカ工業製）、ルーセンタイトＳＷＮ、ＳＷＦ（コープケミカル製）、チキソピーＷ（協和化学工業（株）製）、スメクトンＳＡ、クニピア（クニミネ工業（株）製）、マルチゲン（豊順鉱業（株）製）等を例示することができる。
【００２７】
前記試薬は、酸化還元反応、酸塩基反応、縮合反応、錯体形成反応等により、色素や蛍光色素等の光学的に検出可能な物質を生成する色素前駆体等の化合物や、電気化学的に検出可能な電子伝達物質の酸化体又は還元体、あるいは錯体化合物を生成する化合物等において、幅広く見出すことができる。
まず、光学的に検出可能な物質を生成する試薬について具体的に説明する。
【００２８】
前記色素前駆体等としては、好ましくは芳香族環等の共役系を有する化合物が用いられ、例えば、４−アミノ−１,２−ジヒドロ−１,５−ジメチル−２−フェニル−３Ｈ−ピラゾール−３−オン（以下、「４−ＡＡ」と略す）に代表されるカプラーと水素供与体とにより酸化縮合によってキノン系色素を生成する試薬類や、オルトトリジン、ベンジジン類などの酸化発色体色素を生成する色素前駆体や、色素のロイコ体等、酸化されることによって発色する色素前駆体や、酸化されて蛍光物質を生成する試薬類や、化学発光物質などの発光物質や、テトラゾリウム塩等、還元されて色素を生成する試薬類や、ｐＨの変化によってアゾ色素を生成するジアゾニウム塩類や、呈色反応用の試薬や、蛍光物質の生成反応用の試薬や、酵素によって反応し色素や蛍光物質を生成する酵素基質や、錯体を形成し発色又は変色する化合物、等を例示することができる。
【００２９】
前記水素供与体とは、酸化剤の共存下で、４−ＡＡや３−メチル−２−ベンゾチアゾリノンヒドラゾンと縮合してキノン系色素を生成するフェノール等の化合物であり、具体的にはジクロロフェノール、オルトメトキシフェノール、１，２，３−トリヒドロキシベンゼン、ジメチルアニリン、Ｎ−エチル−Ｎ−スルホプロピルメタアニシジン、Ｎ−エチル−Ｎ−スルホプロピルアニリン、Ｎ−エチル−Ｎ−（３−スルホプロピル）−３，５−ジメトキシアニリン、Ｎ−エチル−Ｎ−（３−スルホプロピル）−３，５−ジメチルアニリン、Ｎ−エチル−Ｎ−スルホプロピルメタトルイジン、Ｎ−エチル−Ｎ−（２−ヒドロキシ−３−スルホプロピル）メタアニシジン、Ｎ−エチル−Ｎ−（２−ヒドロキシ−３−スルホプロピル）アニリン、Ｎ−エチル−Ｎ−（２−ヒドロキシ−３−スルホプロピル）−３,５−ジメトキシアニリン、Ｎ−（２−ヒドロキシ−３−スルホプロピル）−３,５−ジメトキシアニリン、Ｎ−エチル−Ｎ−（２−ヒドロキシ−３−スルホプロピル）−３，５−ジメチルアニリン、Ｎ−エチル−Ｎ−（２−ヒドロキシ−３−スルホプロピル）メタトルイジン、Ｎ−（３−スルホプロピル）アニリン等が挙げられる。
【００３０】
前記オルトトリジン、ベンジジン類としては、オルトトリジン、ジアニシジン、３，３’−ジアミノベンジジン、３，３’，５，５’−テトラメチルベンジジン、Ｎ−（３−スルホプロピル）−３，３’，５，５’−テトラメチルベンジジン等が挙げられる。
【００３１】
前記ロイコ体とは酸化されて色素となり発色する無色の色素前駆体である。ロイコ体が酸化された色素としては、２，６−ジクロロ−４−［（４−ヒドロキシフェニル）イミノ］−２，５−シクロヘキサジエン−１−オン、２，６−ジクロロ−４−［（３−クロロ−４−ヒドロキシフェニル）イミノ］−２，５−シクロヘキサジエン−１−オン、７−（ジエチルアミノ）−３−イミノ−８−メチル−３Ｈ−フェノキサジン塩、３−（ジエチルアミノ）−７−アミノ−５−フェニルフェナジニウム塩、３，７−ビス（ジメチルアミノ）フェノチアジン−５−イウム塩、１−ヒドロキシ−５−メチルフェナジニウム塩、７−ヒドロキシ−３Ｈ−フェノキサジン−３−オン−１０−オキシドが挙げられ、ロイコ体としては、４，４’−ベンジリデンビス（Ｎ，Ｎ−ジメチルアニリン）、４，４’−ビス［Ｎ−エチル−Ｎ−（３−スルホプロピルアミノ）−２,６−ジメチルフェニル］メタン、１−（エチルアミノチオカルボニル）−２−（３，５−ジメトキシ−４−ヒドロキシフェニル）−４，５−ビス（４−ジエチルアミノフェニル）イミダゾール、４，４’−ビス（ジメチルアミノ）ジフェニルアミン、Ｎ−（カルボキシメチルアミノカルボニル）−４,４’−ビス（ジメチルアミノ）ジフェニルアミン塩、１０−（カルボキシメチルアミノカルボニル）−３,７−ビス（ジメチルアミノ）フェノチアジン塩、等が挙げられる。
【００３２】
酸化されて発色する色素前駆体としては、そのほかに、４−メトキシフェノール、４−エトキシフェノール、２−エトキシフェノール、１−（２−ヒドロキシ−５−メトキシフェニル）エタノン、２−ヒドロキシ−５−メトキシ安息香酸、２−ヒドロキシ−５−メトキシベンズアルデヒド、２−ヒドロキシ−５−メトキシ安息香酸メチル、４−メトキシ−２−ニトロフェノール、２−クロロ−４−メトキシフェノール、４−ヒドロキシ−３−メトキシベンズアルデヒド、４−ヒドロキシ−３−メトキシ安息香酸などが挙げられる。
【００３３】
また、３−（４−ヒドロキシフェニル）−２−プロペン酸、２−ヒドロキシフェニル酢酸、３−ヒドロキシフェニル酢酸、４−ヒドロキシフェニル酢酸、３−ヒドロキシ安息香酸、４−ヒドロキシ安息香酸、２−アミノ安息香酸、３−アミノ安息香酸、４−アミノ安息香酸、３,４−ジアミノ安息香酸、３,５−ジアミノ安息香酸、４−アミノ−２−クロロ安息香酸、４−アミノ−３−メチル安息香酸、４−アミノ−３−メトキシ安息香酸、４−アミノフタル酸などが挙げられる。
【００３４】
また、２,４−ジアミノ−６−ヒドロキシピリミジン、４,５−ジアミノ−６−ヒドロキシピリミジン、４−アミノ−２,６−ジヒドロキシピリミジン、６−ヒドロキシ２,４,５−トリアミノピリミジン、４,５−ジアミノ−２,６−ジヒドロキシピリミジン、４−アミノ−６−ヒドロキシ−２−メチルピリミジン、４−アミノ−６−ヒドロキシ−２−メトキシピリミジンなどが挙げられる。
【００３５】
前記酸化されて蛍光物質を生成する試薬類としては、４−ヒドロキシフェニル酢酸、（４−ヒドロキシ−３−メトキシフェニル）酢酸、３−（４−ヒドロキシフェニル）プロピオン酸、４−ヒドロキシ−（２−アミノエチル）フェノール、４−ヒドロキシ−Ｎ，Ｎ，Ｎ−トリメチルベンゼンメタミニウム、アルファアミノパラヒドロキシヒドロケイ皮酸、４−ヒドロキシフェネチルアミン、Ｎ−（４−ヒドロキシフェニル）アセトアニリド、２，７−ジクロロフルオレッセインジアセテート等が挙げられる。
【００３６】
前述したような色素を生成する酸化反応において、酸化反応に関与する酸化剤として、過酸化水素等の酸化剤や、ペルオキシターゼ等の酸化酵素が好ましく用いられる。しかし、前記酸化反応に関与する酸化剤はもちろんこれらに限定されるものではなく、種々の公知の酸化剤や酸化酵素であっても良い。
【００３７】
前記化学発光物質など発光物質としては、ホタルルシフェリン、ウミホタルルシフェリン、エクオリン、ルシゲニン誘導体、ルミノール誘導体、アクリジニウムエステル、過シュウ酸エステル等が挙げられる。
【００３８】
前記テトラゾリウム塩としては、２，３，５−トリフェニルテトラゾリウム塩、２，５−ジフェニル−３−（１−ナフチル）−２Ｈ−テトラゾリウム塩、３，３−［３，３’−ジメトキシ−（１，１’−ビフェニル）−４，４’−ジイル］−ビス［２−（４−ニトロフェニル）−５−フェニル−２Ｈ−テトラゾリウム］塩、３，３−［３，３’−ジメトキシ−（１，１’−ビフェニル）−４，４’−ジイル］−ビス［２，５−ジフェニル−２Ｈ−テトラゾリウム］塩、２−（４−ヨードフェニル）−３−（４−ニトロフェニル）−５−フェニル−２Ｈ−テトラゾリウム塩、２−（４−ヨードフェニル）−３−（４−ニトロフェニル）−５−（２，４−ジスルホフェニル）−２Ｈ−テトラゾリウム塩、２−（４−ヨードフェニル）−３−（２，４−ジニトロフェニル）−５−（２，４−ジスルホフェニル）−２Ｈ−テトラゾリウム塩、３，３’−（１，１’−ビフェニル−４，４’−ジイル）−ビス（２，５−ジフェニル−２Ｈ−テトラゾリウム）塩、３−（４，５−ジメチル−２−チアゾリル）−２，５−ジフェニル−２Ｈ−テトラゾリウム塩等が挙げられる。
【００３９】
また、還元されて色素を生成する化合物としては、１，１’−ジメチル−４，４’−ビピリジリウム塩、１，１’−ジベンジル−４，４’−ビピリジリウム塩等の還元体が挙げられる。また７−ヒドロキシ−３Ｈ−フェノキサジン−３−オン−１０−オキシドなどが還元されて蛍光色素を生成するが、このような蛍光色素を生成する試薬としては、７−ヒドロキシ−３Ｈ−フェノキサジン−３−オン−１０−オキシド、５−シアノ−２,３−ビス（４−メチルフェニル）−２Ｈ−テトラゾリウム塩、２,３−ビス（４−シアノフェニル）−５−シアノ−２Ｈ−テトラゾリウム塩等が還元されて生成する蛍光物質等が挙げられる。
【００４０】
このような色素を生成する還元反応において、還元反応に関与する還元剤として、ニコチンアミドアデニンジヌクレオチド（ＮＡＤ）や、ニコチンアミドアデニンジヌクレオチドホスフェート等が好ましく用いられる。しかし、前記還元反応に関与する還元剤はもちろんこれらに限定されるものではなく、種々の公知の還元剤た還元酵素であっても良い。
【００４１】
前記ｐＨの変化によって発色または変色する化合物としては、ブロモクレゾールグリーン、ブロモフェノールブルー、フェノールレッド、ブロモピロガロールレッド、ピロガロールレッドなどのスルホンフタレイン系色素、マラカイトグリーン、ロゾリックアシドなどのトリフェニルメタン系色素、キナルジンレッド、Ｎ−（パラヒドロキシフェニル）−２，６−ジクロロパラベンゾキノンイミンなどのキノリン系色素、７−ヒドロキシ−３Ｈ−フェノキサジン−３−オン−１０−オキシドなどのオキサゾン系色素、６，７−ジヒドロキシ−４−メチルクマリンなどのクマリン系色素、アニリンオリゴマーなどの導電性高分子化合物が挙げられる。
【００４２】
前記ジアゾニウム塩類としては、インドキシルとカップリングしてアゾ系色素を生成する２−メトキシ−４−モルホリノベンゼンジアゾニウム塩、ウロビリノーゲンとカップリングしてアゾ系色素を生成する３，３’−ジメトキシビフェニル−４，４’−ジアゾニウム塩などが挙げられる。またこの範疇にある試薬としては、ジアゾニウム塩を生成する反応に関与する試薬がある。そのような試薬としては、亜硝酸塩の存在下にジアゾニウム塩を生成する４−アミノベンゼンアルソン酸やそのジアゾニウム塩とカップリングしてアゾ系色素を生成するＮ−１−ナフチルエチレンジアミンなどが挙げられる。また亜硝酸塩の存在下にカップリングしてアゾ系色素を生成する２,４−ジクロロアニリン、Ｎ,Ｎ−ジエチル−Ｎ’−１−ナフチルナフチルエチレンジアミンシュウ酸塩（津田試薬）が挙げられる。また、亜硝酸塩が挙げられる。
【００４３】
前記呈色反応用の試薬としては、アルデヒドを検出するときの過酸化水素と１，４−ジアミノベンゼン、アルデヒドを検出するときの２，３−ジメチル−２，３−ビス（ヒドロキシアミノ）ブタン、アルデヒドを検出するときの３−メチル−２−ベンゾチアゾリノンヒドラゾンと酸化剤、二級アミンを検出するときの１０Ｈ−フェノチアジンと臭素、チオールを検出するときの２，２’−ジチオジピリジンなどが挙げられるが、もちろんこれらに限定されるものではない。
【００４４】
前記蛍光物質の生成反応用の試薬としては、グアニジノ化合物を検出するときの２−ヒドロキシ−１，２−ジフェニルエタノン、ヒスタミンを検出するときのオルトフタルアルデヒド、スペルミジンを検出するときのオルトフタルアルデヒド、アルファケト酸を検出するときの１，２−ジアミノ−４，５−ジメトキシベンゼンなどが挙げられるが、もちろんこれらに限定されるものではない。
【００４５】
前記酵素によって反応し色素や蛍光物質を生成する酵素基質としては、キモトリプシンの基質であるＮ−トシル−Ｌ−フェニルアラニン−２−メチルアクリドン、アミノペプチダーゼの基質であるＬ−アラニン−２−メチルアクリドン、エステラーゼを測定するときの７−アセトキシ−Ｎ−メチルキノリニウム塩、エステラーゼの基質である７−アセトキシ−３Ｈ−フェノキサジン−３−オン、ホスファターゼの基質である４−メチルウンベリフェリルリン酸塩、ホスフォターゼの基質である５,１０,１５,２０−テトラキス（４−ホスホノオキシフェニル）ポルフィンなどが挙げられるが、もちろんこれらに限定されるものではない。なお、酵素や酵素基質は例えば抗体やその断片に化学的に結合していてもよい。
【００４６】
前記錯体を形成し発色又は変色する化合物とは、金属イオンやアニオンと、配位結合やイオン結合で錯体を形成し、色素あるいは蛍光物質を生成する配位子などの化合物である。金属イオンと錯体を形成し発色・変色する化合物としては、金属指示薬やクロモイオノファとして知られている化合物のほか、有色の遷移金属イオンと錯体を形成して着色する化合物が含まれるが、具体的にはエチレンジアミン四酢酸、２，２−ビピリジン、１−ヒドロキシ−２−（２−ヒドロキシフェニルアゾ）ベンゼン、ジベンゾ−１８−クラウン−６、ジシクロヘキシル−１８−クラウン−６、環状ポリアミン類、カリックス［４］アレーン、３−［Ｎ，Ｎ−ビス（カルボキシメチル）アミノメチル］−１，２−ジヒドロキシアンスラキノン、５’，５”−ジブロモピロガロールスルホンフタレイン、２−ヒドロキシ−１−（１−ヒドロキシ−２−ナフチルアゾ）−６−ニトロ−４−ナフタレンスルホン酸塩、２，６−ジクロロ−４’−ヒドロキシ−３’，３”−ジメチルフクソン−５’，５”−二カルボン酸塩、３，３’−ビス［Ｎ，Ｎ−ビス（カルボキシメチル）アミノメチル］フルオレッセイン、８−［Ｎ，Ｎ−ビス（カルボキシメチル）アミノメチル］−４−メチルウンベリフェロン、２，７−ビス（２−アルソノフェニルアゾ）−１，８−ジヒドロキシ−３，６−ナフタレンジスルホン酸、５−クロロ−２−ヒドロキシ−３−（２，４−ジヒドロキシフェニルアゾ）ベンゼンスルホン酸、５−［（ヘキサヒドロ−２，４，６−トリオキソ−５−ピリミジニル）イミノ］−２，４，６（１Ｈ，３Ｈ，５Ｈ）−ピリミジントリオン塩、２−（５−ブロモ−２−ピリジルアゾ）−５−［Ｎ−プロピル−Ｎ−（３−スルホプロピル）アミノ］アニリン塩、１，８−ジヒドロキシ−２−（２−ピリジルアゾ）−３，６−ナフタレンジスルホン酸塩、２−ニトロソ−５−［Ｎ−プロピル−Ｎ−（３−スルホプロピル）アミノ］フェノール等が挙げられる。
【００４７】
また特に一価のカチオンと有色錯体を生成する化合物としては、テトラキス［３，５−ビス（トリフルオロメチル）フェニル］ボレート塩、テトラフェニルホスホニウム塩等が挙げられる。
【００４８】
また特にカルシウムイオンなどと蛍光錯体を生成する化合物としては、１−［２−アミノ−５−（２，７−ジクロロ−６−ヒドロキシ−３−オキシ−９−キサンテニル）フェノキシ］−２−（２−アミノ−５−メチルフェノキシ）エタン−Ｎ，Ｎ，Ｎ’，Ｎ’−四酢酸塩、１−［２−アミノ−５−（２，７−ジクロロ−６−ヒドロキシ−３−オキシ−９−キサンテニル）フェノキシ］−２−（２−アミノ−５−メチルフェノキシ）エタン−Ｎ，Ｎ，Ｎ’，Ｎ’−四酢酸ペンタアセトキシメチルエステル、１−［６−アミノ−２−（５−カルボキシ−２−オギザゾイル）−５−ベンゾフラニロキシ］−２−（２−アミノ−５−メチルフェノキシ）エタン−Ｎ，Ｎ，Ｎ’，Ｎ’−四酢酸塩、１−［６−アミノ−２−（５−カルボキシ−２−オギザゾイル）−５−ベンゾフラニロキシ］−２−（２−アミノ−５−メチルフェノキシ）エタン−Ｎ，Ｎ，Ｎ’，Ｎ’−四酢酸ペンタアセトキシメチルエステル、１−［２−アミノ−５−（６−カルボキシ−２−インドリル）フェノキシ］−２−（２−アミノ−５−メチルフェノキシ）エタン−Ｎ，Ｎ，Ｎ’，Ｎ’−四酢酸塩、１−［２−アミノ−５−（６−カルボキシ−２−インドリル）フェノキシ］−２−（２−アミノ−５−メチルフェノキシ）エタン−Ｎ，Ｎ，Ｎ’，Ｎ’−四酢酸ペンタアセトキシメチルエステル、８−アミノ−２−［（２−アミノ−５−メチルフェノキシ）メチル］−６−メトキシキノリン−Ｎ，Ｎ，Ｎ’，Ｎ’−四酢酸塩、８−アミノ−２−［（２−アミノ−５−メチルフェノキシ）メチル］−６−メトキシキノリン−Ｎ，Ｎ，Ｎ’，Ｎ’−四酢酸ペンタアセトキシメチルエステル、３，３’−ビス［Ｎ，Ｎ−ビス（カルボキシメチル）アミノメチル］フルオレッセイン、８−［Ｎ，Ｎ−ビス（カルボキシメチル）アミノメチル］−４−メチルウンベリフェロンなどが挙げられる。
【００４９】
またアニオンと有色錯体を形成するテトラフェニルアルソニウム塩、塩化物イオンと錯体を形成すると蛍光強度が減少する臭化Ｎ−エトキシカルボニルメチル−６−メトキシキノリニウム、ホウ素と錯体を形成する８−ヒドロキシ−１−（サリシリデンアミノ）−３,６−ナフタレンジスルホン酸塩などが挙げられる。
【００５０】
被検物質に対する前記試薬の具体例としては、例えば被検物質がグルコースである場合には、グルコースオキシターゼと、パーオキシターゼと、４−ＡＡと、Ｎ−メチル−Ｎ−（２−ヒドロキシ−３−スルホプロピル）−３,５−ジメチルアニリンとを、被検物質がコレステロールである場合には、コレステロールオキシターゼと、パーオキシターゼと、４−ＡＡと、Ｎ−メチル−Ｎ−（２−ヒドロキシ−３−スルホプロピル）−３,５−ジメチルアニリンとを、被検物質が乳酸である場合には、乳酸脱水素酵素と、ＮＡＤ+と、ジアホラーゼと、テトラゾリウムヴァイオレットとを、被検物質がアルカリフォスファターゼである場合には、ｐ−ニトロフェニルフォスフェートを、それぞれ例示することができる。
【００５１】
次に、電気化学的に検出可能な物質を生成する試薬について具体的に説明する。
電気化学的に検出可能な試薬としては、例えば、電子伝達物質の酸化体又は還元体や、特定のイオンに対してイオン結合又は配位結合して錯体化合物を生成する配位子等が挙げられる。
【００５２】
電子伝達物質とは、被検物質を酵素などによって酸化又は還元し、その際被検物質から、又は被検物質に、直接的あるいは間接的にに電子を受容又は供与する化学物質である。このような電子伝達物質の還元体又は酸化体を電極で酸化又は還元するときの電気化学応答から被検物質を定量することができる。
【００５３】
電子伝達物質としては、具体的には、１，１’−ジメチル−４，４’−ビピリジリウム塩、１，１’−ジベンジル−４，４’−ビピリジリウム塩、１，４−ジアミノベンゼン、２−メチル−１，４−ナフトキノン、Ｎ−メチルフェナジニウム塩、１−ヒドロキシ−５−メチルフェナジニウム塩、１−メトキシ−５−メチルフェナジニウム塩、９−ジメチルアミノベンゾアルファフェノキサジン−７−イウム塩、フェロセン誘導体、ヘキサシアノ鉄（II）塩、７−ヒドロキシ−３Ｈ−フェノキサジン−３−オン−１０−オキシド、３，７−ジアミノ−５−フェニルフェナジニウム塩、３−（ジエチルアミノ）−７−アミノ−５−フェニルフェナジニウム塩、１，４-ベンゼンジオール、１，４−ジヒドロキシ−２，３，５−トリメチルベンゼン、Ｎ，Ｎ，Ｎ’，Ｎ’−テトラメチル−１，４−ベンゼンジアミン、Δ２，２’−ビ−１，３−ジチオール、２，６−ジメチルベンゾキノン、２，５−ジメチルベンゾキノン、２，３，５，６−テトラメチル−２，５−シクロヘキサジエン−１，４−ジオン、２，６−ジクロロ−４−［（４−ヒドロキシフェニル）イミノ］−２，５−シクロヘキサジエン−１−オン、２，６−ジクロロ−４−［（３−クロロ−４−ヒドロキシフェニル）イミノ］−２，５−シクロヘキサジエン−１−オン、７−（ジエチルアミノ）−３−イミノ−８−メチル−３Ｈ−フェノキサジン塩、３，７−ビス（ジメチルアミノ）フェノチアジン−５−イウム塩等が挙げられる。
【００５４】
前記配位子としては、具体的には、カチオンと錯体をつくる配位子として、テトラキス［３，５−ビス（トリフルオロメチル）フェニル］ボレート塩、テトラフェニルホスホニウム塩、バリノマイシン、シクロ（Ｎ’，Ｎ’−ジオクチル−Ｄ−アスパラギニル−Ｌ−プロリル−Ｌ−アラニル）2、ビス（ベンゾ−１５−クラウン−５）、ビス［（ベンゾ−１５−クラウン−５）−４−メチル］ピメレート、ビス（１２−クラウン−４）、ビス［（１２−クラウン−４）メチル］−２−ドデシル−２−メチルマロネート、１４−クラウン−４、ドデシル−メチル−１４−クラウン−４、６，６−ジベンジル−１，４，８，１１−テトラオキサシクロテトラデカン、ジベンゾ−１８−クラウン−６、ジシクロヘキシル−１８−クラウン−６、４,１６−ジ−Ｎ−オクタデシルカルバモイル−３−オキサブチリル−１,７,１０,１３,１９−ペンタオキサ−４,１６−等ジアザシクロヘンイコサンが挙げられる。
【００５５】
またアニオンと錯体をつくる配位子として、テトラフェニルアルソニウム塩、６−メトキシ−Ｎ−（３−スルホプロピル）キノリニウム塩などが挙げられる。
【００５６】
以上、試薬層に含まれる試薬について具体的に説明したが、試薬層には、前述したビーズ、無機ゲル、及び試薬の他にも、試薬層の固体成分分離能と、被検物質と試薬との反応とを阻害しない範囲であれば、通常使用される添加剤等を添加しても良い。
【００５７】
例えば、前記検体がヒト血液である場合では、固体成分が血球成分となり、液体成分が血漿成分となる。このとき、血球成分中の赤血球の長径は、等張時で６〜９μｍであるが、試薬の塩濃度やｐＨの変化によって赤血球の大きさや状態が変化し、試薬層のｐＨや塩濃度が不適当であると、試薬層の粒子間隙で捕集することができなくなる場合もある。このような場合に使用するのが好適な添加剤としては、例えば、ビス−トリス緩衝液（ビス（２−ヒドロキシエチル）イミノトリス（ヒドロキシメチル）メタンと塩酸から調整された緩衝剤）、リン酸緩衝液、クエン酸緩衝液、Ｎ−（２−アセトアミド）イミノ二酢酸緩衝液等の緩衝剤や、塩化ナトリウム等の中性塩などを例示することができる。
【００５８】
また、光学的変化を利用して被検物質を反射光測定で検出しようとする場合では、支持体には光透過性物質で構成された支持体を使用し、添加剤としては、測定光を反射又は散乱して測定光の反射効率を高める酸化チタン等の粉体を例示することができる。
【００５９】
また、液体成分の展開を高めるために、界面活性剤を添加剤として使用することができる。このような界面活性剤としては、例えば、ｎ−オクチル−β−Ｄ−グルコピラノシドなどの糖アルキルエーテル類、ｎ−オクチル−β−Ｄ−チオグルコピラノシド、ｎ−ヘプチル−β−Ｄ−チオグルコピラノシドなどの糖アルキルチオエーテル類、ｎ−オクタノイル−Ｎ−メチルグルカミド、ｎ−ノナノイル−Ｎ−メチルグルカミドなどの糖アミド類、β−Ｄ−フラクトピラノシル−α−Ｄ−グルコピラノシドモノデカノエートなどの糖エステル、Ｎ,Ｎ−ビス（３−Ｄ−グルコナミドプロピル）デオキシコラミドなどが挙げられる。
【００６０】
試薬層の層厚は、液体成分の展開距離に影響し、層厚が大きくなると液体成分の展開距離も大きくなり、層厚が小さくなると液体成分の展開距離も小さくなる傾向が見られる。従って、試薬層の好適な層厚は、液体成分の所望の展開距離によって異なるが、好ましくは５〜１３０μｍであり、より好ましくは３０〜１００μｍであり、より一層好ましくは５０〜９０μｍである。試薬層の層厚が前記範囲よりも小さすぎると液体成分の展開が十分になされず被検物質の正確な検出や測定に支障をきたすことがあり、試薬層の層厚が前記範囲よりも大きすぎると被検物質を検出するのに多量の検体が必要となることがある。
【００６１】
前記支持体は、前記試薬層を支持することが可能であれば、その形状や材質等について特に限定されないが、表面に親水部分を有し、この親水部分で試薬層を支持するものが好ましい。その理由としては、検体が試薬層に点着されたのちの液体成分の展開に前記親水部分が大きく影響すると考えられている。
【００６２】
液体成分は、自重による縦方向への展開と、キャピラリー的作用による縦方向及び横方向への展開とによって試薬層中を展開する。一方で前記親水部分は、水との親和性が良好で水溶性の液体成分の表面張力を弱める。従って、親水部分は、試薬層中において液体成分には横方向に流れるよう作用し、この親水部分の作用によって液体成分が斜め下方に展開するものと考えられる。また、親水部分による横方向への作用は、作用面積が大きく、また、横方向にのみ働くことから、前述したキャピラリー的作用に比べて液体成分の横方向への展開に大きく寄与していると考えられる。このため、全血中の被検物質を透過光測定で測定する場合などでは、被検物質の検出を妨害する血球成分の付着部分よりも、試薬層の横方向においてより離れた位置で被検物質を検出することができ、透過光測定を行う上でより好ましい。
【００６３】
支持体は、親水部分と疎水部分とを有するものであることが好ましく、親水部分は、適当な形状（例えば角形、方形、円形、楕円形、又はこれらの形状が組み合わさって形成される形状等）や大きさに形成されると、試薬層の大きさを適度なものとすることができるので好ましい。また親水部分と疎水部分とを有する支持体は、例えば、シリコンや油脂等の疎水性物質を親水性素材に塗布するなど、親水性素材を疎水化処理することによって作製しても良いし、また、疎水性素材を親水化処理することによって作製しても良い。
【００６４】
また、支持体は、光透過性物質で構成されていると、被検物質を光学的変化によって検出する場合において、透過光測定による測定が可能になることから好ましい。前記光透過性物質としては、例えば、ガラス等の無機化合物や、透明プラスチック等の有機高分子化合物を例示することができる。
【００６５】
このうち、透明プラスチック等の有機高分子化合物は、疎水性のポリマーであっても紫外線の照射や、シラノール処理等によって表面を親水化処理することができ、このような親水化処理を行うことによって透明プラスチックを支持体として好適に使用することができる。このような有機高分子化合物としては、例えば、ポリエチレン、ポリプロピレン、ポリフルオロエチレン等のポリオレフィン系樹脂や、ポリスチレン、ポリエチレンテレフタレート等、容易に入手可能な有機高分子化合物を例示することができる。
【００６６】
本発明の試験片は、前記試薬が均一に分散、又は溶解し、前記ビーズが均一に分散している無機ゾル（無機ゲル化剤が分散しているコロイド溶液）を、前記支持体上に層状に形成することによって作製することができる。前記ビーズは、無機ゾル中に分散させても良いし、無機ゲル化剤の粉体とビーズとを予め混合し、この混合粉体に水、又は前記試薬が均一に分散あるいは溶解した水系分散媒、を添加することにより、無機ゾル中に分散しても良い。また、前記試薬は、前記無機ゾル中に前記試薬を均一に分散又は溶解させても良いし、無機ゲル化剤添加前の水系分散媒中に予め均一に分散又は溶解させても良い。
【００６７】
また、前記無機ゾルの支持体上での層形成も、通常用いられる方法によって行うことができ、例えば、ドクターナイフ等によって均一かつ所定の層厚となるように塗工して形成しても良いが、支持体上に所定形状にパターニングされた親水部分を設け、親水部分の面積に応じた適量の無機ゾルを親水部分に供給すると、無機ゾルが親水部分上に拡がり、均一な層厚の試薬層を支持体上に形成することができるので好ましい。
【００６８】
試薬層は、前記支持体上に供給された無機ゾルから、ビーズを接着する無機ゲルの性状が損なわれない程度に水分を除くことによって形成することができる。無機ゾルからの水分の除去は、試薬の変性等を防止し被検物質の検出結果に支障を来さない条件の乾燥によって行われれば良く、乾燥条件は使用される試薬の種類等によって異なるが、例えば、２５℃での乾燥、４０〜５０℃での乾燥、減圧条件下での乾燥、低温条件下（例えば５℃前後等）での乾燥、又はこれらが組み合わされた条件での乾燥等を例示することができる。使用される試薬が変性しやすいものである場合では、低温条件下で無機ゾルを乾燥することが、試薬の変性を抑制する上で一般に好ましい。
【００６９】
本発明の試験片は、試薬層上の適当な個所に、少なくとも液体成分中に被検物質を含む検体を点着し、試薬層中に展開する被検物質と試薬との反応を検出することによって、被検物質を検出することができる。
本発明の試験片の対象となる検体は、固体成分が含まれない液体成分のみの検体であっても良いが、本発明の試験片は、検体中の固体成分を分離して液体成分中の被検物質を検出することができる固体成分分離能を有することから、固体成分と液体成分とが含まれる検体の分析に利用することがより好ましい。このような検体としては、例えば、前述したように、固体成分としての血球成分と液体成分としての血漿成分とが含まれる血液（全血）を例示することができる。また、本発明の試験片は、全血の他にも、尿等の生物学的材料（生体試料）、食品、医薬、自然環境に存在する微量物質、産業化学物質、廃棄物中の微量物質等の分析に利用することができる。
【００７０】
ここで、全血を検体とする一例を示し、検体分析時における本発明の試験片の様子を説明する。
本発明の試験片における試薬層は、前記ビーズと前記無機ゲルと前記試薬とによって形成される多孔質構造であることから、試薬層上に全血を点着することによって試薬層上に血球成分が残り、試薬層中を血漿成分が点着部分から横方向へも展開する。このとき、試薬層には無機ゲルが含まれることから、試薬層上に点着された全血が試薬層上で拡がりにくく、血球成分が試薬層上に拡がりにくい。このため、試薬層上における血球成分の付着部分よりも横方向に展開した位置で血漿成分中の被検物質を検出することができ、血球成分によって測定光が遮られないことから、被検物質を透過光測定によって測定することができる。また、試薬層は、血球成分が試薬層上に拡がりにくいことから試薬層上に血球層が形成されにくく、かつ多孔質構造であることから、酸素透過性に優れている。また、試薬層は、血球成分が試薬層上で拡がりにくく、かつ血漿成分が試薬層中を横方向にも展開することから、前述した積層型試験片に比べて、少量の検体で被検物質を検出することができる。
【００７１】
また、試薬層は、ビーズが無機ゲルによって接着されて多孔質構造を形成することから、試薬層中の試薬やこの試薬と被検物質との反応生成物などが無機ゲルによって吸着されやすく、試薬や反応生成物などのさらなる展開が抑制され、これらの試薬層中での分布濃度が一定に保たれやすい。従って、より精度の高い被検物質の測定を行うことができる。
【００７２】
本発明における被検物質は、前記液体成分中に存在し前記試薬によって検出しうる物質であれば特に限定されず、例えば、前記検体が生体試料である場合の被検物質としては、グルコース、コレステロール、乳酸、アルカリフォスファターゼ等を例示することができる。なお、液体成分は、水溶性であっても良いし非水溶性であっても良いが、一般には水溶性であることが多く、また、本発明では水溶性であることが好ましい。
【００７３】
前記被検物質の検出方法は、前記試薬と被検物質との反応を検出することができる方法であれば特に限定されず、例えば、前記試薬と被検物質との反応によって生じる光学的変化から被検物質を検出する方法や、前記試薬と被検物質との反応によって生じる電気化学的変化から被検物質を検出する方法等を例示することができる。これら被検物質の検出方法では、被検物質に対して定量的に反応する試薬類を前記試薬に使用すると、被検物質を検出するのみならず、光学的変化、電気化学的変化等を測定することによって被検物質を定量することができる。
【００７４】
光学的変化から被検物質を検出する方法では、光透過性物質により構成される支持体を使用し、前記光学的変化を例えば透過光測定、反射光測定等の測定によって被検物質を検出することができる。なお、光学的変化とは、一般に被検物質と前記試薬との反応による発色反応を例示することができるが、発色のみならず、例えば変色、蛍光、発光等を例示することができる。また、被検物質を定量する場合では、例えば、一般に使用されている吸光光度計や蛍光光度計等を利用した前記光学的変化の測定や、ラマン分光測定等を適用することが可能である。
【００７５】
前記電気化学的変化から被検物質を検出する方法では、酸化還元反応を利用する方法や、被検物質がイオンである場合にこのイオンから生じる錯体化合物を利用する方法等が挙げられる。
【００７６】
前記酸化還元反応を利用する方法としては、例えば、カーボン電極等の通常使用される電極を使用し、被検物質との酸化還元反応によって生成する前記試薬の酸化体又は還元体を、前記電極の測定可能範囲内の電位（カーボン電極では通常−１.２Ｖ〜＋１.０Ｖ）で還元又は酸化し、このときの電位を測定することにより被検物質を定量する方法が挙げられる。なお、前記酸化還元反応は、被検物質と試薬とが直接的に電子を授受する反応であっても良いし、間接的に電子を授受する反応であっても良い。
【００７７】
前記錯体化合物を利用する方法としては、例えば、電極の表面に多孔質の高分子層などを設けた液膜電極を使用し、この液膜電極に前記試薬を染み込ませ、この試薬を被検物質と配位結合又はイオン結合によって選択的に結合させて高分子層中を移動させ、その際に生じる膜電位を測定することにより被検物質を定量する方法が挙げられる。
【００７８】
【実施例】
本発明の実施例を以下に示し、本発明をより具体的に説明する。なお、本実施例では、血液（全血）を検体とし、血液中のグルコース（Glc）を被検物質とする試験片を本発明の一例として説明する。
【００７９】
＜実施例１＞
まず、支持体について説明する。なお、本発明の実施例では、純粋製造装置ＡｕｔｏｓｔｉｌｌＷＧ２２０型（ヤマト科学社製）で製造した蒸留水を処理装置Ｍｉｌｌｉ−ＱＬａｂｏ（日本ミリポア社製）で処理した水であるミリＱ水を使用した。
まず、透明ポリスチレン板をエタノール−ミリＱ水により洗浄し、乾燥させた後、紫外線照射装置（ＰＬ１６−１１０、光源：低圧水銀灯１１０Ｗ、ともにセン特殊光源製）中で１〜３０分間（好ましくは３分間）紫外線を照射し、前記透明ポリスチレン板の表面を親水化処理し、支持体１とした。支持体１の親水部分の形状は、直径５ｍｍの二つの円を連結したひょうたん型とした。
【００８０】
次に、試薬層の作製について説明する。
無機ゲル化剤であるラポナイトＸＬＧ、ビス−トリス緩衝液（ｐＨ６.５）、ＰＯＤ（ペルオキシターゼ）、ＧＯＤ（グルコースオキシターゼ）、４−ＡＡ（４−アミノアンチピリン（４−アミノ−１,２−ジヒドロ−１,５−ジメチル−２−フェニル−３Ｈ−ピラゾル−３−オン））、ＴＯＯＳ（Ｎ−エチル−Ｎ−（２−ヒドロキシ−３−スルホプロピル）−３−メチルアニリン）、及びラテックスビーズであるＯＴＧ−２（平均粒径：４.５μｍ）を、下記表１に記載の最終濃度となるようにミリＱ水に混合し、ラポナイトＸＬＧのコロイド溶液（ゾル）を得た。
なお、下記表１における「Ｕ」は、３０℃において一分間に１μｍｏｌの基質を生成物に転換する酵素活性の量を示す単位（Ｕ：ユニット）である。
【００８１】
【表１】
0004474010.tif 000002
【００８２】
前記操作により得られた無機ゾルを、前記操作により得られた支持体１の親水部分に１０μＬ点着し、４℃にて１時間乾燥させ、図１に示されるような試薬層２を作製した。
【００８３】
次に、前記操作によって得られた試験片による血液中のグルコースの検出について説明する。
それぞれの試験片の試薬層２におけるひょうたん型の先端部に新鮮な全血（指先血）を１、０.５、０.１μＬ点着した。全血を点着したときの試験片の様子を図２〜図４に示す。
【００８４】
まず、得られた血漿成分量に着目すると、１μＬ点着した場合と０.５μＬ点着した場合では、図２及び図３に示されるように、直径５ｍｍの試薬層２を十分濡らす血漿成分が５秒以内に得られた。また、０.１μＬ点着した場合では、図４に示されるように、直径５ｍｍの試薬層２の約２／３を濡らす血漿成分が得られた。なお、１μＬ点着した場合では、全血の点着部分に多くの血球成分及び血漿成分が未だに残っていることが観察された。
【００８５】
次に、グルコースに対する応答について着目すると、血漿成分で濡れた部分が淡赤色に着色しており、十分に目視で確認できる。これは、主にＴＯＯＳ（λmax：５５５ｎｍ）の発色によるものである。
以上のことからわかるように、本実施例の試験片によれば、極少量の全血を点着することによって血漿成分中のグルコースを検出することができる。また、本実施例の試験片は、前述したように、簡単に作製することができる。
【００８６】
＜実施例２＞
次に、ラポナイトＸＬＧ及びその他の試薬の使用量を固定し、下記表２に従ってビーズの使用量を変化させ、試薬層の層厚の異なる試験片を前述した実施例１と同様に作製した。そして試薬層の予想膜厚を測定した。なお、予想膜厚は、ＳＥＭにて試薬層の断片を観察し算定することによって得られる膜厚（μｍ）である。
試薬層の層厚の異なるそれぞれの試験片に全血を点着し、血漿成分の移動距離を測定した。なお、移動距離とは、全血点着から５秒後において、分離した血漿成分が点着位置から移動した先頭までの距離（ｍｍ）である。
【００８７】
【表２】
0004474010.tif 000003
【００８８】
表２からわかるように、試薬層の層厚はビーズの使用量によって異なり、また、層厚の大きな試薬層では、血漿成分の移動距離が大きくなることがわかる。
【００８９】
＜実施例３＞
次に、下記表３に記載の最終濃度となるように各試薬を使用して試験片を前述した実施例１同様に作製した。そして、前述した実施例２と同様に、それぞれの試験片における試薬層の予想膜厚を測定し、全血を試薬層に点着し、このときの血漿成分の移動距離を測定した。それぞれの試験片における試薬処方を表３に、予想膜厚及び移動距離の測定結果を表４に示す。
【００９０】
【表３】
0004474010.tif 000004
【００９１】
【表４】
0004474010.tif 000005
【００９２】
表３及び表４からわかるように、血漿成分の移動距離は、試薬の使用量を多少変えてもｐＨが一定であればビーズの使用量、すなわち試薬層の層厚に依存することがわかる。
【００９３】
＜実施例４＞
次に、下記表５に記載の最終濃度となるように各試薬を使用して試験片を前述した実施例１同様に作製した。なお、本実施例では、異なる粒径のビーズ（４.５μｍ及び６.６μｍ）を使用した。そして、前述した実施例２と同様に、それぞれの試験片の試薬層に全血を点着し、このときの血漿成分の移動距離を測定した。それぞれの試験片における試薬処方を表５に、予想膜厚及び移動距離の測定結果を表６に示す。
【００９４】
【表５】
0004474010.tif 000006
【００９５】
【表６】
0004474010.tif 000007
【００９６】
表５及び表６からわかるように、ビーズの粒径が多少異なってもｐＨが一定であれば血漿成分の移動距離は変化しないことがわかる。ｐＨの変化による血漿成分の移動距離の変化については、ｐＨの変化に伴って分離されるべき血球成分の状態が変化し、例えば血球成分の収縮等によって試薬層中を血球成分が試薬層のより内部まで移動し、試薬層中における血漿成分の移動性が低下したためと思われる。
【００９７】
＜比較例＞
ラポナイトＸＬＧに代えて、有機ゲル化剤の一種であるＨＰＣ−Ｍ（ヒドロキシエチルプロピルセルロース：信越化学社製）を最終濃度で２重量％使用した以外は、前述した実施例１と同様に試薬層及び試験片を作製した。得られた試験片の試薬層に新鮮な全血（指先血）を点着したが、試薬層中に血漿成分が浸透することはなく、点着された全血の分離ができなかった。
【００９８】
【発明の効果】
本発明によれば、固体成分と液体成分とからなり、かつ液体成分中に被検物質が含まれる検体から被検物質を検出するにあたり、ビーズと無機ゲルとによって形成され、固体成分を捕集して液体成分と分離し、かつ液体成分中の被検物質と検出しうる反応を起こす試薬が含まれる試薬層を支持体上に形成することにより、被検物質を透過光測定によっても測定することができ、酸素透過性が良く、かつより高い精度で被検物質を測定することのできる試験片を提供することができる。
【図面の簡単な説明】
【図１】本発明の実施例１で作製された試験片を示す図である。
【図２】図１の試験片における試薬層に１μＬの全血を点着したときの様子を示す図である。
【図３】図１の試験片における試薬層に０.５μＬの全血を点着したときの様子を示す図である。
【図４】図１の試験片における試薬層に０.１μＬの全血を点着したときの様子を示す図である。
【符号の説明】
１  支持体
２  試薬層
【図１】
0004474010.tif 000008
【図２】
0004474010.tif 000009
【図３】
0004474010.tif 000010
【図４】
0004474010.tif 000011